(57)【要約】【課題】躯体から持ち出して設置されるものであって、躯体の上面や下面が傾斜していても確実に取り付けられる手すりを提供する。【解決手段】躯体の前側に取り付ける手すりであって、支柱と、前記躯体の上面に取り付けた上側アンカー及び下面に取り付けた下側アンカーと、上側固定具及び下側固定具を備え、前記上側固定具と前記下側固定具が前記躯体を上下から挟んでいて、前記上側固定具を前記上側アンカーに固定してあり、前記下側固定具を前記下側アンカーに固定してあり、前記上側固定具及び前記下側固定具の前側に前記支柱を固定してあり、前記上側固定具及び／又は前記下側固定具は、躯体に当接する平面状の躯体側当接面を有しており、前記躯体側当接面は、水平面に対する角度が可変である。【選択図】図１
2020012264.tif 000002
【特許請求の範囲】
【請求項１】
躯体の前側に取り付ける手すりであって、
支柱と、前記躯体の上面に取り付けた上側アンカー及び下面に取り付けた下側アンカーと、上側固定具及び下側固定具を備え、
前記上側固定具と前記下側固定具が前記躯体を上下から挟んでいて、前記上側固定具を前記上側アンカーに固定してあり、前記下側固定具を前記下側アンカーに固定してあり、前記上側固定具及び前記下側固定具の前側に前記支柱を固定してあり、
前記上側固定具及び／又は前記下側固定具は、躯体に当接する平面状の躯体側当接面を有しており、前記躯体側当接面は、水平面に対する角度が可変であることを特徴とする手すり。
【請求項２】
前記上側固定具及び／又は前記下側固定具は、前記躯体の上下方向に位置する挟持部と、前記躯体と前記挟持部との間に位置する角度調整具を有しており、
前記角度調整具は、前記躯体側当接面と、前記挟持部に当接する固定具側当接面を有するものであって、前記躯体側当接面が水平面に対して異なる角度となる複数の姿勢で、前記固定具側当接面が前記挟持部に当接可能であることを特徴とする請求項１記載の手すり。
【請求項３】
前記固定具側当接面は、左右方向を軸とする回転面からなり、
前記挟持部は、前記固定具側当接面に密接する回転面からなる被当接面を有することを特徴とする請求項２記載の手すり。
【請求項４】
前記上側固定具及び／又は前記下側固定具は、前記支柱に取り付ける支柱側部材と、前記躯体に取り付ける躯体側部材を有し、
前記躯体側部材は、前記躯体側当接面を有するものであって、前記支柱側部材に対して左右方向軸周りに角度可変に連結してあることを特徴とする請求項１記載の手すり。
【請求項５】
前記下側アンカーは、前記上側アンカーよりも後側に位置していることを特徴とする請求項１、２、３又は４記載の手すり。
【発明の詳細な説明】
【技術分野】
【０００１】
本発明は、集合住宅のベランダなどに設置される手すりに関する。
【背景技術】
【０００２】
マンションなどの集合住宅のベランダや通路などに設置される手すりにおいて、支柱を躯体から外側に持ち出して取り付けるものがある。たとえば、特許文献１に示すものは、支柱から躯体側に向けて突出する上下２片の固定部によって躯体を上下から挟み込み、上下の固定部を、それぞれ躯体の上面及び下面に埋め込んだアンカーボルトに固定するものである。
【先行技術文献】
【特許文献】
【０００３】
【特許文献１】特開平６−３３６７６２号公報
【発明の概要】
【発明が解決しようとする課題】
【０００４】
ところで、このような手すりを取り付ける躯体においては、その上面や下面が水平面に対して傾斜している場合がある。しかしながら、特許文献１の手すりは、上下の固定部の躯体に当接する面が水平向きであるから、躯体の上面や下面が傾斜していると、躯体と固定部の間に隙間が生じてしまい、躯体に対して固定部を確実に固定できないおそれがあった。
【０００５】
本発明は、このような事情を鑑みたものであり、躯体から持ち出して設置されるものであって、躯体の上面や下面が傾斜していても確実に取り付けられる手すりを提供することを目的とする。
【課題を解決するための手段】
【０００６】
本発明のうち請求項１の発明は、躯体の前側に取り付ける手すりであって、支柱と、前記躯体の上面に取り付けた上側アンカー及び下面に取り付けた下側アンカーと、上側固定具及び下側固定具を備え、前記上側固定具と前記下側固定具が前記躯体を上下から挟んでいて、前記上側固定具を前記上側アンカーに固定してあり、前記下側固定具を前記下側アンカーに固定してあり、前記上側固定具及び前記下側固定具の前側に前記支柱を固定してあり、前記上側固定具及び／又は前記下側固定具は、躯体に当接する平面状の躯体側当接面を有しており、前記躯体側当接面は、水平面に対する角度が可変であることを特徴とする。なお、上側固定具と下側固定具の一方のみが水平面に対して角度可変な躯体側当接面を有する場合に、他方が角度不変な躯体側当接面を有していてもよい。
【０００７】
本発明のうち請求項２の発明は、前記上側固定具及び／又は前記下側固定具は、前記躯体の上下方向に位置する挟持部と、前記躯体と前記挟持部との間に位置する角度調整具を有しており、前記角度調整具は、前記躯体側当接面と、前記挟持部に当接する固定具側当接面を有するものであって、前記躯体側当接面が水平面に対して異なる角度となる複数の姿勢で、前記固定具側当接面が前記挟持部に当接可能であることを特徴とする。なお、上側固定具と下側固定具の一方のみが挟持部と角度調整具を有する場合に、他方が挟持部のみを有していてもよい。
【０００８】
本発明のうち請求項３の発明は、前記固定具側当接面は、左右方向を軸とする回転面からなり、前記挟持部は、前記固定具側当接面に密接する回転面からなる被当接面を有することを特徴とする。なお、「左右方向を軸とする回転面」とは、左右方向を向いたある直線を軸として、直線又は曲線からなる母線を軸周りに回転させて得られる曲面のことである。たとえば、母線が軸と平行な直線であれば、回転面は円柱側面となり、母線が軸を直径とする円弧であれば、回転面は球面となる。また、「密接する」とは、面同士が隙間なく当接することをいう。
【０００９】
本発明のうち請求項４の発明は、前記上側固定具及び／又は前記下側固定具は、前記支柱に取り付ける支柱側部材と、前記躯体に取り付ける躯体側部材を有し、前記躯体側部材は、前記躯体側当接面を有するものであって、前記支柱側部材に対して左右方向軸周りに角度可変に連結してあることを特徴とする。
【００１０】
本発明のうち請求項５の発明は、前記下側アンカーは、前記上側アンカーよりも後側に位置していることを特徴とする。
【発明の効果】
【００１１】
本発明のうち請求項１の発明によれば、躯体側当接面の水平面に対する角度が可変であるから、躯体の上面及び／又は下面が傾斜している場合であっても、躯体側当接面の角度を傾斜に一致させるか、それができなければ近い角度に合わせることで、躯体側当接面と躯体の隙間を無くすか小さくできるので、躯体と上側固定具及び／又は下側固定具を確実に固定することができる。
【００１２】
本発明のうち請求項２の発明によれば、挟持部に対する角度調整具の姿勢を変えるだけで、容易に躯体側当接面の角度を調整できる。
【００１３】
本発明のうち請求項３の発明によれば、角度調整具の固定具側当接面と、挟持部の被当接面が、相互に密接する回転面からなるので、角度調整具の躯体側当接面の水平面に対する角度が無段階に調整可能である。よって、躯体の上面及び／又は下面の傾斜角度によらず、角度調整具と躯体の隙間を無くすことができるので、躯体と上側固定具及び／又は下側固定具をより確実に固定することができる。
【００１４】
本発明のうち請求項４の発明によれば、支柱側部材に対する躯体側部材の角度を変えるだけで、容易に躯体側当接面の角度を調整できる。
【００１５】
本発明のうち請求項５の発明によれば、支柱が前後方向に荷重を受けた際、上側アンカーが中心となって支柱が回転する向きに力が作用し、下側固定具により下側アンカーに引き抜き力が作用するが、下側アンカーが上側アンカーよりも後側に位置しているので、下側固定具の支柱に対する固定部から下側アンカーに対する固定部までの距離が長くなり、てこの原理によって、下側アンカーに作用する引き抜き力が小さくなる。よって、より大きな荷重に耐えることが可能であって、十分な強度を有する手すりとなる。また、上側アンカーと下側アンカーの躯体への取付位置が前後にずれているので、躯体の厚みが十分に確保できない場合であっても、上側アンカーと下側アンカーが干渉しない。
【図面の簡単な説明】
【００１６】
【図１】手すりの第一実施形態の縦断面図（図３のＡ−Ａ線断面図）である。
【図２】手すりの第一実施形態の横断面図（図３のＢ−Ｂ線断面図）である。
【図３】手すりの第一実施形態の正面図である。
【図４】手すりの第一実施形態のコーナー部の横断面図である。
【図５】手すりの第一実施形態の施工手順を示す説明図である。
【図６】（ａ）、（ｂ）は、躯体の上面の勾配が異なる場合の説明図である。
【図７】手すりが荷重を受けた場合の説明図であり、（ａ）は第一実施形態、（ｂ）は比較形態を示す。
【図８】手すりの第二実施形態の縦断面図（図１０のＣ−Ｃ線断面図）である。
【図９】手すりの第二実施形態の横断面図（図１０のＤ−Ｄ線断面図）である。
【図１０】手すりの第二実施形態の正面図である。
【図１１】（ａ）、（ｂ）は、手すりの第二実施形態のコーナー部の横断面図である。
【図１２】手すりの第三実施形態の縦断面図（図１３のＥ−Ｅ線断面図）である。
【図１３】手すりの第三実施形態の正面図である。
【図１４】手すりの第四実施形態の縦断面図である。
【発明を実施するための形態】
【００１７】
以下、本発明の手すりの具体的な内容について説明する。この手すりは、種々の場所に設置して用いられるものであるが、ここでは第一実施形態として、転落防止を目的として集合住宅のベランダに設置されるものを示す。なお、以下において、前後方向とは手すりの見込方向であり、ベランダに設置された状態で、屋外側が前側、屋内側が後側である。
【００１８】
すなわち、この手すりは、躯体１００の前側に取り付けられる。ここで、手すりが取り付けられる躯体１００は、図１に示すように、建物の外壁面から前側に水平向きに突出する床スラブ１０１と、その前端部から上向きに延びる立ち上がり壁１０２からなるものである。立ち上がり壁１０２の高さは、床スラブ１０１の厚さの略１／３である。また、立ち上がり壁１０２の上面は、雨水を階下に滴下させないよう、後方へ下向きに傾斜しており、その勾配は４度である。
【００１９】
まず、手すりの第一実施形態の全体構成について説明する。図１〜図３に示すように、この手すりは、支柱１と、上側アンカー２ａ及び下側アンカー２ｂと、上側固定具３ａ及び下側固定具３ｂと、上桟５と、下桟６と、縦格子７を備え、上側固定具３ａが角度調整具４を有している。支柱１は、躯体１００の前側に位置して立設してあり、その下端が床スラブ１０１の下面よりも下側であって、左右に間隔を空けて複数本が並んでいる。躯体１００の上面には、上側アンカー２ａにより上側固定具３ａを取り付けてあり、躯体１００の下面には、下側アンカー２ｂにより下側固定具３ｂを取り付けてあって、上側固定具３ａ及び下側固定具３ｂにより、支柱１を固定してある。ただし、躯体１００の上面と上側固定具３ａの上側挟持部３１ａの間には、角度調整具４を挟んで設けてある。支柱１の上端には、複数本の支柱１に跨って、左右に延びる上桟５が取り付けてある。また、支柱１の下端には、複数本の支柱１に跨って、左右に延びる下桟６が取り付けてある。そして、隣り合う支柱１間の、上桟５と下桟６の間に、左右に並ぶ複数本の縦格子７が取り付けてある。よって、躯体１００（床スラブ１０１と立ち上がり壁１０２）は、支柱１及び縦格子７の後側に位置していて、前側からは見えにくくなっているので、意匠性が良好である。
【００２０】
続いて、手すりの第一実施形態の各構成部材について説明する。支柱１は、断面が前後に長い略矩形で中空の押出形材からなり、その長手方向が垂直方向となるように立設してあって、その下端部の後側面が、躯体１００（床スラブ１０１及び立ち上がり壁１０２）の前側面に対向している。支柱１の後側面には、上下に延びる取付溝１１が形成してある。取付溝１１は、略Ｃ字形で後側に向けて開口するものである。
【００２１】
そして、躯体１００の上面及び下面に、それぞれ上側アンカー２ａと下側アンカー２ｂを埋め込んである。上側アンカー２ａは、躯体１００の立ち上がり壁１０２の上面に垂直向きに埋め込んであり、先端は上側に突出している。また、下側アンカー２ｂは、躯体１００の床スラブ１０１の下面に垂直向きに埋め込んであり、先端は下側に突出している。そして、下側アンカー２ｂは、上側アンカー２ａよりも後側に位置している。この上側アンカー２ａと下側アンカー２ｂの位置関係について、より詳しくは、第一実施形態において、立ち上がり壁１０２の前後方向長さは１００ｍｍで、上側アンカー２ａは、その前後方向中央部、すなわち躯体１００の前側面から５０ｍｍの位置に設けてある。一方、下側アンカー２ｂは、躯体１００の前側面から８５ｍｍの位置に設けてある。
【００２２】
上側固定具３ａは、略Ｌ字形の金具と、角度調整具４からなるものであって、略Ｌ字形の金具についてより詳しくは、矩形平板状で垂直向きの上側取付部３２ａと、矩形平板状で上側取付部３２ａの下端から後側に向けて延びる上側挟持部３１ａと、上側取付部３２ａの上端から後側に向けてわずかに突出する係止片３３ａと、上側挟持部３１ａの後端よりやや前側の位置から上側に向けて突出する立設片３４ａからなる。上側挟持部３１ａは、その後側の略２／３の領域が、左右方向から見て上側に凸となるように湾曲した湾曲部３５ａとなっており、湾曲部３５ａの下面は、左右方向を軸とする回転面、すなわち、中心軸が左右方向に平行な円柱の側面の一部に一致する曲面形状であって、角度調整具４が当接する被当接面３６ａとなっている。また、立設片３４ａは、高さが上側取付部３２ａよりも低く、垂直に延びている。これらの上側挟持部３１ａ、上側取付部３２ａ、係止片３３ａ及び立設片３４ａからなる上側固定具３ａの左右幅は、支柱１の左右幅よりも長いものである。そして、上側取付部３２ａと上側挟持部３１ａには、それぞれ１つずつボルト孔を形成してあり、何れのボルト孔も、各部の左右方向中央部に位置している。さらに、上側取付部３２ａのボルト孔の上側には、ネジ孔を形成してある。なお、上側挟持部３１ａの上面のボルト孔周辺部は、水平面となっている。
【００２３】
角度調整具４は、金属製のものであって、略平板状で左右幅が上側挟持部３１ａの左右幅に等しいものである。角度調整具４の上面は、上側挟持部３１ａに当接する固定具側当接面４２であり、左右方向から見て上側に凸となり、湾曲部３５ａの下面の被当接面３６ａの形状と一致する曲面形状（左右方向を軸とする回転面、すなわち、中心軸が左右方向に平行な円柱の側面の一部に一致する曲面形状）である。また、角度調整具４の下面は、躯体１００に当接する躯体側当接面４１であり、平面である。よって、角度調整具４は、上側挟持部３１ａの被当接面３６ａに対する前後位置がずれても、常に固定具側当接面４２が被当接面３６ａに隙間なく当接するものであり、前後位置がずれることで、角度調整具４の姿勢が変化し、すなわち躯体側当接面４１の水平面に対する角度が変化する。ここでは、躯体側当接面４１は、後方へ下向きに傾斜していて、水平面に対する角度が４度となっており、立ち上がり壁１０２の上面に隙間なく当接する。そして、角度調整具４の左右方向中央部には、前後に長い長孔形状のボルト孔４３を形成してある。
【００２４】
下側固定具３ｂは、略Ｌ字形の金具からなるものであって、より詳しくは、矩形平板状で垂直向きの下側取付部３２ｂと、矩形平板状で下側取付部３２ｂの上端から後側に向けて延びる下側挟持部３１ｂからなる。ただし、下側挟持部３１ｂは、前後方向中央部に段部３５ｂを形成してあり、段部３５ｂの前側部分よりも後側部分の方が一段高くなっている。この下側固定具３ｂの左右幅は、支柱１の左右幅よりも長いものである。そして、下側取付部３２ｂと下側挟持部３１ｂ（段部３５ｂの後側部分）には、それぞれ１つずつボルト孔を形成してあり、何れのボルト孔も、各部の左右方向中央部に位置している。
【００２５】
そして、これらの上側固定具３ａと下側固定具３ｂが、躯体１００を上下から挟んでいる。より詳しくは、上側固定具３ａの上側挟持部３１ａの後側部分である湾曲部３５ａが躯体１００の立ち上がり壁１０２の上側に位置しており、躯体１００の立ち上がり壁１０２と上側挟持部３１ａの湾曲部３５ａ間に、角度調整具４を設けてある。すなわち、上側挟持部３１ａを、角度調整具４を介して躯体１００の立ち上がり壁１０２の上面に当接させ、角度調整具４のボルト孔４３の前後方向中央部及び上側挟持部３１ａのボルト孔に上側アンカー２ａの先端部を挿入してあり、上側アンカー２ａに上側からナットを螺合して、上側固定具３ａを躯体１００に固定してある。また、下側固定具３ｂの下側挟持部３１ｂ（段部３５ｂの後側部分）を、躯体１００の床スラブ１０１の下面に当接させ、ボルト孔に下側アンカー２ｂの先端部を挿入してあり、下側アンカー２ｂに下側からナットを螺合して、下側固定具３ｂを躯体１００に固定してある。この際、上側固定具３ａの上側取付部３２ａの前側面と、下側固定具３ｂの下側取付部３２ｂの前側面が面一となるようにしてある。なお、下側固定具３ｂの下側挟持部３１ｂの、段部３５ｂの前側部分は、躯体１００の床スラブ１０１の下面から離隔しており、これにより、水切り性が向上している。
【００２６】
さらに、支柱１の後側面の取付溝１１に、２本のボルトの頭部を挿入してあって、各ボルトのネジ部が支柱１から後側に突出している。そして、支柱１の後側面を、上側固定具３ａの上側取付部３２ａの前側面及び下側固定具３ｂの下側取付部３２ｂの前側面に当接させ、２本のボルトを上側固定具３ａの上側取付部３２ａのボルト孔及び下側固定具３ｂの下側取付部３２ｂのボルト孔にそれぞれ挿入してあり、各ボルトに後側からナットを螺合して、上側固定具３ａ及び下側固定具３ｂの前側に支柱１を固定してある。この際、取付溝１１に頭部を挿入したボルトは、支柱１に対して上下動自在であるから、上側固定具３ａ及び下側固定具３ｂに対する支柱１の取付高さは自在に調整できる。また、上側固定具３ａについては、さらに上側取付部３２ａのネジ孔に後側からネジを挿入し、支柱１に螺合させて補強してある。
【００２７】
このようにして、上側アンカー２ａに取り付けた上側固定具３ａ及び下側アンカー２ｂに取り付けた下側固定具３ｂを介して、支柱１が躯体１００に対して固定される。この際、上側固定具３ａ及び下側固定具３ｂの左右幅は何れも支柱１の左右幅よりも広いものであるが、上側固定具３ａ及び下側固定具３ｂは支柱１の後側に位置しており、前側からは支柱１に隠れて目立たないので、意匠性が良好である。
【００２８】
上桟５は、目板部材５１と表面部材５２の２部材からなる。目板部材５１は、略平板状の押出形材からなり、隣り合う支柱１に跨って左右に延びるものである。より詳しくは、１本の目板部材５１は２本の支柱１に跨り、左右端部は左右の支柱１よりも外側に突出していて、これを左右に並べて端面同士を突き合わせて連設してあり、前後幅は支柱１の前後幅よりもわずかに長い。目板部材５１の上面には、前縁及び後縁に沿って左右に延びる爪部５１１が形成してある。爪部５１１は、上側に向けて先細りで、前後方向の外側に向けて突出する返しを有する形状である。そして、このような目板部材５１を、各支柱１の上端面に当接させ、上側からネジ止めして固定してある。表面部材５２は、下側に向けて開口する略コ字形の押出形材からなり、目板部材５１と同様に左右に延びており（左右長さは必ずしも目板部材５１と同じでなくてもよい）、前後幅は目板部材５１の前後幅よりもわずかに長い。前側面部及び後側面部の下端部には、内側に向けて突出し先端が上向きに屈曲している突起５２１が形成してある。また、人が手を掛ける部材なので、上面は丸みを帯びた形状となっている。そして、目板部材５１の前後の爪部５１１に、表面部材５２の前後の突起５２１を係合させ、表面部材５２で目板部材５１を上側から覆い隠すようにして取り付けてある。なお、手すりの左右長さが長い場合、表面部材５２は複数本に分割されるが、その分割位置は、必ずしも目板部材５１と同じでなくてもよい。そして、分割位置において、表面部材５２は端面同士を突き合わせて取り付けられる。
【００２９】
下桟６は、目板部材６１と表面部材６２の２部材からなる。表面部材６２は、下側に向けて開口する略コ字形の押出形材からなり、隣り合う支柱１に跨って左右に延びるものである。より詳しくは、上桟５の目板部材５１と同様に、１本の表面部材６２は２本の支柱１に跨り、左右端部は左右の支柱１よりも外側に突出していて、これを左右に並べて端面同士を突き合わせて連設してあり、前後幅は支柱１の前後幅よりもわずかに長い。前側面部及び後側面部の下端部には、内側に向けて突出し先端が上向きに屈曲している突起６２１が形成してある。そして、このような表面部材６２を、各支柱１の下端面に当接させ、下側からネジ止めして固定してある。目板部材６１は、略平板状の押出形材からなり、表面部材６２と同様に左右に延びており（左右長さは必ずしも表面部材６２と同じでなくてもよい）、前後幅は表面部材６２の前後幅よりもわずかに短い。目板部材６１の上面には、前縁及び後縁に沿って左右に延びる爪部６１１が形成してある。爪部６１１は、上側に向けて先細りで、前後方向の外側に向けて突出する返しを有する形状である。そして、表面部材６２の前後の突起６２１に、目板部材６１の前後の爪部６１１を係合させ、目板部材６１で表面部材６２の開口部を塞ぐようにして取り付けてある。なお、手すりの左右長さが長い場合、目板部材６１は複数本に分割されるが、その分割位置は、必ずしも表面部材６２と同じでなくてもよい。そして、分割位置において、目板部材６１は端面同士を突き合わせて取り付けられる。
【００３０】
縦格子７は、断面略矩形で中空の押出形材からなり、上桟５と下桟６の間でその長手方向が垂直方向となるように立設してあり、上端面は上桟５の目板部材５１の下面に当接していて、上側からネジ止めして固定してあり、下端面は下桟６の表面部材６２の上面に当接していて、下側からネジ止めして固定してある。その前後幅及び左右幅は、支柱１の前後幅及び左右幅に等しい。よって、前側から見ると、支柱１と縦格子７は区別がつかないので、連続感のある意匠となる。
【００３１】
また、躯体１００の立ち上がり壁１０２の上側には、樹脂製のカバー８を取り付けてあり、上側アンカー２ａやボルトを覆い隠して意匠性を向上させている。カバー８は、左右に延びるものであって、後方へ水平に延び途中で屈曲して下向きに傾斜する上面部８１と、上面部８１の後端から下向きに延びる後側面部８２を有している。ただし、後側面部８２は、上側部分に対して下側部分が一段後側へ突出した形状である。このカバー８の上面部８１の前端部を、上側固定具３ａの係止片３３ａに載置してあり、後側面部８２の上側部分を上側固定具３ａの立設片３４ａに後側から当接させ、後側からネジ止めして固定してある。上側挟持部３１ａの、立設片３４ａより後側部分は、カバー８の後側面部８２の下側部分に納まる。なお、このカバー８により、支柱１と躯体１００の間の隙間が塞がれる。支柱１と躯体１００の間に隙間があると、隙間を通して地表面が見えるため、屋内側（後側）の住人が恐怖を感じる場合があるが、カバー８で隙間を塞ぐことで、それを防いでいる。また、カバー８は、支柱１に対応する部位のみに設けるものであってもよい。
【００３２】
なお、図４に示すように、この手すりの第一実施形態を、上側から見て直角に屈曲させて、コーナー部に設けることもできる。コーナー部においては、コーナー部に向けてそれぞれの方向から延びる上桟５、下桟６及びカバー８の端面を４５度の角度で切断して突き合わせてある。そして、上桟５及び下桟６の内部の、コーナー部の外周側と内周側に、Ｌ字形のコーナー金具６３を取り付け、それぞれコーナー部の外周側と内周側からネジ止めして固定してある（図４は下桟６を示す）。
【００３３】
続いて、図５に基づき、この手すりの第一実施形態の施工手順を説明する。なお、図中の丸数字は、以下の１〜７の各工程に対応している。
１．工場において、２本の支柱１、上桟５の目板部材５１、下桟６の表面部材６２及び縦格子７を組んで、面状のユニットとする。この際、支柱１の取付溝１１には２本のボルトを取り付けておく。
２．現場において、躯体１００の上面及び下面の支柱１に対応する位置に、それぞれ上側アンカー２ａ及び下側アンカー２ｂを埋め込む。
３．上側アンカー２ａ及び下側アンカー２ｂに対して、それぞれ上側固定具３ａ及び下側固定具３ｂを取り付ける。上側固定具３ａについては、まず、角度調整具４のボルト孔４３に上側アンカー２ａを挿通し、角度調整具４を躯体１００の上面に載置してから（図中の３’）、上側挟持部３１ａの被当接面３６ａを角度調整具４の固定具側当接面４２に当接させる。
４．ユニットの支柱１に取り付けたボルトを上側固定具３ａと下側固定具３ｂのボルト孔に通して固定する。上側固定具３ａについてはさらにネジ止めして補強する（図中の４’）。
５．手すりの長さに応じて、必要な数のユニットを左右に連設する。
６．上桟５の目板部材５１に表面部材５２を取り付け、下桟６の表面部材６２に目板部材６１を取り付ける。
７．上側固定具３ａにカバー８を取り付ける。
以上で、手すりの第一実施形態の施工が完了する。なお、上桟５の表面部材５２と下桟６の目板部材６１は、工場で予め取り付けてもよい（上記の工程６を、工程１に組み込んでもよい）。
【００３４】
このように構成した手すりの第一実施形態によれば、上側固定具３ａにおいて、角度調整具４の固定具側当接面４２と、上側挟持部３１ａの被当接面３６ａが、相互に密接する回転面からなるので、角度調整具４の躯体側当接面４１の水平面に対する角度が無段階に調整可能であって、調整が容易である。よって、躯体１００の上面の傾斜角度によらず、角度調整具４と躯体１００の隙間を無くすことができるので、躯体１００と上側固定具３ａをより確実に固定することができる。より詳しくは、図１に示す場合においては、手すりが取り付けられる躯体１００（立ち上がり壁１０２）の上面は、後方へ下向きに傾斜しており、その勾配は４度であったが、実際の施工現場においては、勾配がある場合とない場合があり、また勾配がある場合の角度も様々である。図１に示す場合、立ち上がり壁１０２の上面の勾配は４度であり、この際、被当接面３６ａの前後方向の略中央部に角度調整具４の固定具側当接面４２を当接させる（この際、上側アンカー２ａが角度調整具４のボルト孔４３の前後方向中央部を貫通する）ことで、躯体側当接面４１の傾斜角度も４度となり、立ち上がり壁１０２の上面の勾配に一致して当接していた。これに対し、図６（ａ）に示すのは、立ち上がり壁１０２の上面の勾配が８度の場合である。この場合、上側挟持部３１ａの被当接面３６ａの前後方向の後端に角度調整具４の固定具側当接面４２を当接させる（この際、上側アンカー２ａが角度調整具４のボルト孔４３の前端部を貫通する）ことで、躯体側当接面４１の傾斜角度も８度となり、立ち上がり壁１０２の上面の勾配に一致して当接する。また、図６（ｂ）に示すのは、立ち上がり壁１０２の上面の勾配が０度の場合である。この場合、上側挟持部３１ａの被当接面３６ａの前後方向の前端に角度調整具４の固定具側当接面４２を当接させる（この際、上側アンカー２ａが角度調整具４のボルト孔４３の後端部を貫通する）ことで、躯体側当接面４１の傾斜角度も０度となり、立ち上がり壁１０２の上面の勾配に一致して当接する。なお、角度調整具４の躯体側当接面４１の傾斜が立ち上がり壁１０２の上面の勾配に一致することで、当接する全面に荷重が均等に分散し、一部に荷重が集中することがないので、上側固定具３ａから躯体１００の上面へかかる負荷が軽減され、特に改修用のものとして用いられる場合において、取り付ける対象の躯体１００の表面が脆弱になっている場合でも、躯体１００を保護できる。
【００３５】
また、図７（ａ）に示すように、支柱１が前後方向に荷重を受けた際（図７は前側から荷重を受けた場合を示す）、上側アンカー２ａが中心となって支柱１が時計回りに回転する向きに力が作用し、下側固定具３ｂにより下側アンカー２ｂに引き抜き力が作用する。この際、下側アンカー２ｂが上側アンカー２ａよりも後側に位置しているので、下側固定具３ｂの支柱に対する固定部から下側アンカーに対する固定部までの距離Ｌ１が長くなる。図７（ｂ）は、比較のため下側アンカー２ｂが上側アンカー２ａと同じ前後位置であるものを示しており、この場合の支柱１に対する固定部から下側アンカー２ｂに対する固定部までの距離Ｌ２よりも、第一実施形態の場合の距離Ｌ１の方が長いことがわかる。そして、このように支柱１に対する固定部から下側アンカー２ｂに対する固定部までの距離が長いことで、てこの原理により、下側アンカー２ｂに作用する引き抜き力が小さくなる。よって、より大きな荷重に耐えることが可能であって、十分な強度を有する手すりとなる。また、上側アンカー２ａと下側アンカー２ｂが同じ前後位置の場合、躯体１００の厚みが上側アンカー２ａと下側アンカー２ｂの長さを合わせた分以上でないと、上側アンカー２ａと下側アンカー２ｂが干渉してしまう。しかしながら、第一実施形態では、上側アンカー２ａと下側アンカー２ｂの躯体１００への取付位置が前後にずれているので、躯体１００の厚みが十分に確保できず上側アンカー２ａと下側アンカー２ｂの長さを合わせた分以下しかない場合であっても、上側アンカー２ａと下側アンカー２ｂが干渉しない。
【００３６】
さらに、左右の支柱１、上桟５の目板部材５１、下桟６の表面部材６２及び縦格子７を、予め工場で組んでユニット化できるので、現場における施工が容易で工期を短縮できる。
【００３７】
次に、この手すりの第二実施形態について、図８〜図１０に基づき説明する。第二実施形態は、第一実施形態における縦格子７に替えて、ガラスパネル９を取り付けたものである。ガラスパネル９は、上桟５、下桟６及び左右の支柱１によって形成される枠体の内周側に嵌め込まれるものであり、第一実施形態とは、ガラスパネル９を有する点並びに支柱１、上桟５及び下桟６の形状が異なっている。以下、第一実施形態と異なる部分に絞って説明する。
【００３８】
第二実施形態の支柱１は、断面略矩形で中空の押出形材からなり、その前後幅、左右幅及び後側面に形成した取付溝１１は、第一実施形態のものと同じであって、下端部の後側面が、躯体１００（床スラブ１０１及び立ち上がり壁１０２）の前側面に対向している。そして、ガラスパネル９に対する左右の支柱１の内周側面（左側の支柱１の右側面、右側の支柱の左側面）には、前後方向中央部に、上下に延びる嵌合溝１２が形成してある。嵌合溝１２は、略コ字形で内周側に向けて開口するものである。
【００３９】
第二実施形態の上桟５は、目板部材５１と表面部材５２の２部材からなり、表面部材５２は、第一実施形態のものと同じである。目板部材５１は、略平板状の押出形材からなり、２本の支柱１に跨って左右に延びており、前後幅は支柱１の前後幅よりもわずかに長い。目板部材５１の上面には、第一実施形態のものと同様に、前縁及び後縁に沿って左右に延びる爪部５１１が形成してある。目板部材５１の下面には、前後方向中央部に、左右に延びる嵌合溝５１２が形成してある。嵌合溝５１２は、略コ字形で下側に向けて開口するものである。このような目板部材５１を、各支柱１の上端面に当接させ、上側からネジ止めして固定してある。ただし、目板部材５１の左右端は、左右の支柱１の外周側面と面一である。そして、目板部材５１の前後の爪部５１１に、表面部材５２の前後の突起５２１を係合させ、表面部材５２で目板部材５１を上側から覆い隠すようにして取り付けてある。
【００４０】
第二実施形態の下桟６は、目板部材６１と表面部材６２の２部材からなり、目板部材６１は、第一実施形態のものと同じである。表面部材６２は、下側に向けて開口する略コ字形の押出形材からなり、２本の支柱１に跨って左右に延びており、前後幅は支柱１の前後幅よりもわずかに長い。表面部材６２の前側面部及び後側面部の下端部には、第一実施形態のものと同様に、内側に向けて突出し先端が上向きに屈曲している突起６２１が形成してある。表面部材６２の上面には、前後方向中央部に、左右に延びる嵌合溝６２２が形成してある。嵌合溝６２２は、略コ字形で上側に向けて開口するものである。このような表面部材６２を、各支柱１の下端面に当接させ、下側からネジ止めして固定してある。ただし、表面部材６２の左右端は、左右の支柱１の外周側面と面一である。そして、表面部材６２の前後の突起６２１に、目板部材６１の前後の爪部６１１を係合させ、目板部材６１で表面部材６２の開口部を塞ぐようにして取り付けてある。
【００４１】
そして、このように左右の支柱１、上桟５の目板部材５１及び下桟６の表面部材６２を四周枠組みして構成した枠体の内周側に、ガラスパネル９を嵌め込んである。具体的な組立手順は、左右の支柱１の下端に、表面部材６２を取り付けてから、ガラスパネル９の左右端部及び下端部を支柱１の嵌合溝１２及び表面部材６２の嵌合溝６２２に嵌合させ、その後左右の支柱１の上端に目板部材５１を取り付け、ガラスパネル９の上端部を目板部材５１の嵌合溝５１２に嵌合させる。施工時は、このように１枚のガラスパネル９を嵌め込んだ枠体を１つのユニットとして、これを左右に複数並べて取り付ける。隣り合うユニット同士は、支柱１同士が近接して設けられ（支柱１同士の間隔は、支柱１の左右幅に等しい）、図９に示すように、１つの上側固定具３ａ及び下側固定具３ｂに、２本の支柱１が固定される。そして、上桟５の表面部材５２は、隣り合うユニットに跨って取り付けられる。
【００４２】
なお、図１１（ａ）に示すように、この手すりの第二実施形態を、上側から見て直角に屈曲させて、コーナー部に設けることもできる。コーナー部においては、第一実施形態と同様に、コーナー部に向けてそれぞれの方向から延びる上桟５、下桟６及びカバー８の端面を４５度の角度で切断して突き合わせて、Ｌ字形のコーナー金具６３により固定してある（図１１は下桟６を示す）。そして、コーナー部においては、支柱１に替えて、躯体１００に固定されていない２本の縦桟９１により、ガラスパネル９の端部を保持している。縦桟９１は、ガラスパネル９の端面及びコーナー部の外側面に対向する断面略Ｌ字形の基材９１１と、ガラスパネル９の内側面に対向する押縁材９１２からなる。さらに、図１１（ｂ）に示すように、図１１（ａ）における２本の基材９１１を一体に成形して１本の基材９１１ａとし、これに２本の押縁材９１２を取り付けた１本の縦桟９１ａを用いてもよい。
【００４３】
このように構成した手すりの第二実施形態も、第一実施形態と同様の作用効果を奏するものである。また、第一実施形態の縦格子７に替えてガラスパネル９を取り付けたものであるが、第一実施形態と同様に、左右の支柱１、上桟５の目板部材５１、下桟６の表面部材６２及びガラスパネル９を、予め工場で組んでユニット化できるので、現場における施工が容易で工期を短縮できる。
【００４４】
次に、この手すりの第三実施形態について、図１２及び図１３に基づき説明する。第三実施形態は、第二実施形態と同様に、ガラスパネル９を備えるものであるが、第二実施形態とは、上桟５及び下桟６の形状が異なっている。以下、第二実施形態と異なる部分に絞って説明する。
【００４５】
第三実施形態の上桟５は、目板部材５１と表面部材５２の２部材からなり、目板部材５１は、第二実施形態のものと同じである。表面部材５２は、上面の形状が第二実施形態のものと異なっており、上面が平面状で後方へ下向きに傾斜している。
【００４６】
第三実施形態の下桟６は、下側に向けて開口する略コ字形の押出形材からなり、隣り合う支柱１間で左右に延びており、端面は支柱１の左右側面に当接している。その前後幅は、支柱１の前後幅よりも短い。また、その上面には、前後方向中央部に、左右に延びる嵌合溝６２２が形成してある。嵌合溝６２２は、略コ字形で上側に向けて開口するものである。支柱１の左右側面の、立ち上がり壁１０２の上端よりやや上側の位置には、略コ字形の係止部材６４をネジ止めして固定してあり（左右に延び上側に開口する向き）、下桟６の嵌合溝６２２の端部を、左右の支柱１に取り付けた略コ字形の係止部材６４に上側から嵌め込み、下桟６を係止部材６４に係止してある。
【００４７】
そして、このように左右の支柱１、上桟５の目板部材５１及び下桟６を四周枠組みして構成した枠体の内周側に、ガラスパネル９を嵌め込んである。なお、支柱１の下端には、支柱１の断面形状と同形で平板状の蓋１３を取り付けてあり、開口部を塞いである。具体的な組立手順は、左右の支柱１の間に、下桟６を取り付けてから、ガラスパネル９の左右端部及び下端部を支柱１の嵌合溝１２及び下桟６の嵌合溝６２２に嵌合させ、その後左右の支柱１の上端に目板部材５１を取り付け、ガラスパネル９の上端部を目板部材５１の嵌合溝５１２に嵌合させる。施工時は、第二実施形態と同様に、このように１枚のガラスパネル９を嵌め込んだ枠体を１つのユニットとして、これを左右に複数並べて取り付ける。
【００４８】
このように構成した手すりの第三実施形態も、第二実施形態と同様の作用効果を奏するものである。また、第二実施形態と同様に、左右の支柱１、上桟５の目板部材５１、下桟６及びガラスパネル９を、予め工場で組んでユニット化できるので、現場における施工が容易で工期を短縮できる。
【００４９】
なお、第一実施形態〜第三実施形態において、下側固定具が角度調整具を有するものであってもよい。また、角度調整具が、上側固定具及び／又は下側固定具の挟持部に対して、段階的に角度調整可能なものであってもよい。たとえば、角度調整具の固定具側当接面が、中心軸が左右方向に平行な正角柱の複数の側面からなる形状のものである。この際、挟持部の被当接面も、同じ正角柱の複数の側面からなり、角度調整具の固定具側当接面の複数の面が隙間なく当接するものとなる。この場合でも、角度調整具の躯体側当接面の水平面に対する角度が可変であるから、躯体の上面及び／又は下面が傾斜している場合であっても、躯体側当接面の角度を傾斜に一致させるか、それができなければ近い角度に合わせることで、角度調整具と躯体の隙間を無くすか小さくできるので、躯体と上側固定具及び／又は下側固定具を確実に固定することができる。また、挟持部に対する角度調整具の角度決めが容易であって、一度設定した角度からずれることがなく、躯体と上側固定具及び／又は下側固定具をより確実に固定することができる。
【００５０】
次に、この手すりの第四実施形態について、図１４に基づき説明する。第四実施形態は、第一実施形態と比べて、上側固定具３ａ及び下側固定具３ｂの形状が異なるものであって、支柱１、上桟５、下桟６及び縦格子７の形状は同じである。以下、第一実施形態と異なる部分に絞って説明する。
【００５１】
第四実施形態の上側固定具３ａは、支柱１に取り付ける支柱側部材３７と躯体１００に取り付ける躯体側部材３８の２つの金具からなる。支柱側部材３７は、矩形平板状で垂直向きの上側取付部３２ａを有し、上側取付部３２ａの下端部は後側下方へ向けて屈曲しており、先端部には、円形膨大状（左右に延びる丸棒状）の軸部３７１を形成してある。また、上側取付部３２ａの上端から後側に向けて突出する第一係止片３３１ａと、上側取付部３２ａの上端よりやや下側から後側に向けて突出し、第一係止片３３１ａとの間に隙間を形成する第二係止片３３２ａを有しており、第一係止片３３１ａの下側面には、下側に向けて開口する断面略Ｃ字形の溝部を形成してあって、この溝部にビート３３３を取り付けてある。さらに、支柱側部材３７は、この手すりの左右全長にわたって延びる通し材であり、上側取付部３２ａの、軸部３７１と第二係止片３３２ａの間であって各支柱１に対応する位置に、ボルト孔を形成してある。一方、躯体側部材３８は、矩形平板状で前後に延びる上側挟持部３１ａを有し、上側挟持部３１ａの下面が、躯体１００に当接する平面状の躯体側当接面４１となっている。また、上側挟持部３１ａの前端部は前側上方へ屈曲しており、先端部には、左右に延びる断面Ｃ字形の軸受部３８１を形成してある。さらに、上側挟持部３１ａの後端から上側に向けて突出する立設片３４ａを有しており、立設片３４ａは、上側部分が、左右方向から見て後側に凸となるように湾曲している。また、躯体側部材３８は、各支柱１に対応する位置に設けられるものであって、その左右幅は、支柱１の左右幅より長いものであり、上側挟持部３１ａの左右方向中央部に、ボルト孔を形成してある。そして、支柱側部材３７の軸部３７１が、躯体側部材３８の軸受部３８１に対して回動自在に嵌まっており、躯体側部材３８が、支柱側部材３７に対して左右方向軸周りに角度可変に連結してある。
【００５２】
第四実施形態の下側固定具３ｂは、略Ｌ字形の金具からなるものであって、矩形平板状で垂直向きの下側取付部３２ｂと、矩形平板状で下側取付部３２ｂの上端から後側に向けて延びる下側挟持部３１ｂと、矩形平板状で下側挟持部３１ｂの後端から下側に向けて延びる垂下片３４ｂからなる。下側取付部３２ｂは、垂下片３４ｂよりも長くなっている。また、下側取付部３２ｂの下端部の後側面には、後側に延び屈曲して下側に延びる突出片３３１ｂを形成してあり、突出片３３１ｂの下端部の前側面に、断面略三角形の爪部を形成してある。さらに、垂下片３４ｂの下端部の前側面には、前側に延び屈曲して下側に延びる突出片３３２ｂを形成してあり、突出片３３２ｂの下端部の後側面に、断面略三角形の爪部を形成してある。また、下側固定具３ｂは、各支柱１に対応する位置に設けられるものであって、その左右幅は、支柱１の左右幅よりも長いものである。そして、下側取付部３２ｂと下側挟持部３１ｂには、それぞれ１つずつボルト孔を形成してあり、何れのボルト孔も、各部の左右方向中央部に位置している。
【００５３】
そして、これらの上側固定具３ａと下側固定具３ｂが、躯体１００を上下から挟んでいる。より詳しくは、上側固定具３ａの躯体側部材３８の上側挟持部３１ａの後側部分が躯体１００の立ち上がり壁１０２の上側に位置している。ただし、立ち上がり壁１０２の上面は、後方へ下向きに傾斜しており、その勾配は８度である。よって、躯体側部材３８の下面の躯体側当接面４１の水平方向に対する傾斜角度も８度となるように、躯体側部材３８を傾けて、躯体側当接面４１を躯体１００の立ち上がり壁１０２の上面に当接させ、ボルト孔に上側アンカー２ａの先端部を挿入してあり、上側アンカー２ａに上側からナットを螺合して、上側固定具３ａの躯体側部材３８を躯体１００に固定してある。なお、上側アンカー２ａは、立ち上がり壁１０２の上面の勾配に合わせて設けてある。また、下側固定具３ｂの下側挟持部３１ｂを、躯体１００の床スラブ１０１の下面に当接させ、ボルト孔に下側アンカー２ｂの先端部を挿入してあり、下側アンカー２ｂに下側からナットを螺合して、下側固定具３ｂを躯体１００に固定してある。
【００５４】
さらに、支柱１の後側面の取付溝１１に、２本のボルトの頭部を挿入してあって、各ボルトのネジ部が支柱１から後側に突出している。そして、支柱１の後側面を、上側固定具３ａの支柱側部材３７の上側取付部３２ａの前側面及び下側固定具３ｂの下側取付部３２ｂの前側面に当接させる。ここで、上側固定具３ａにおいては、躯体１００に固定された躯体側部材３８に対して支柱側部材３７を左右方向軸周りに回転させ、支柱側部材３７の上側取付部３２ａの前側面を垂直向きにして、下側固定具３ｂの下側取付部３２ｂの前側面と面一となるようにしてある。そして、２本のボルトを上側固定具３ａの支柱側部材３７の上側取付部３２ａのボルト孔及び下側固定具３ｂの下側取付部３２ｂのボルト孔にそれぞれ挿入してあり、各ボルトに後側からナットを螺合して、上側固定具３ａ及び下側固定具３ｂの前側に支柱１を固定してある。この際、取付溝１１に頭部を挿入したボルトは、支柱１に対して上下動自在であるから、上側固定具３ａ及び下側固定具３ｂに対する支柱１の取付高さは自在に調整できる。
【００５５】
このようにして、上側アンカー２ａに取り付けた上側固定具３ａ及び下側アンカー２ｂに取り付けた下側固定具３ｂを介して、支柱１が躯体１００に対して固定される。この際、図１４の円弧状の矢印で示すように、躯体側部材３８が、支柱側部材３７に対して左右方向軸周りに角度可変であるから、躯体１００の上面の勾配が異なる場合であっても、その勾配に躯体側部材３８の躯体側当接面４１の角度を一致させた上で、支柱側部材３７の上側取付部３２ａの前側面を垂直向きにして、支柱１を垂直向きに取り付けることができる。
【００５６】
また、上側固定具３ａの上側には、樹脂製の上側カバー８ａを取り付けてあり、上側アンカー２ａやボルトを覆い隠して意匠性を向上させている。上側カバー８ａは、左右に延びるものであって、後方下向きに延びる上面部８１ａと、上面部８１ａの後端から下向きに延びる後側面部８２ａを有している。この上側カバー８ａの上面部８１の前端部を、支柱側部材３７の第一係止片３３１ａに取り付けたビート３３３と第二係止片３３２ａとの間に挿入してあり、後側面部８２を躯体側部材３８の立設片３４ａに後側から当接させ、後側からネジ止めして固定してある。なお、躯体１００の上面の勾配に応じて、上側固定具３ａの躯体側部材３８の傾斜角度が変化し、それによって上側固定具３ａに対する上側カバー８ａの取付角度も変化する。しかしながら、上面部８１ａの前端部は、支柱側部材３７の第一係止片３３１ａに取り付けたビート３３３と第二係止片３３２ａとの間に挿入してあるだけなので、角度変化に対して自在に対応できる。また、後側面部８２ａは、躯体側部材３８の立設片３４ａが後側に凸となるように湾曲しているので、躯体側部材３８の傾斜角度が変化しても、常に立設片３４ａの最後端部に後側から当接する。なお、上側カバー８ａは、手すりの左右全長にわたって延びるものであってもよいし、支柱１に対応する部位のみに設けるものであってもよい。上側カバー８ａを支柱１に対応する部位のみに設ける場合、それ以外の部位において、支柱側部材３７を覆い隠す蓋材を別途取り付けてもよい。
【００５７】
さらに、下側固定具３ｂの下側にも、樹脂製の下側カバー８ｂを取り付けてあり、下側アンカー２ｂやボルトを覆い隠して意匠性を向上させている。下側カバー８ｂは、左右に延びるものであって、後方上向きに延びる下面部８１ｂと、下面部８１ｂの後端から上向きに延びる後側面部８２ｂと、下面部８１ｂの前端から上向きに延びる前側面部８３ｂを有しており、後側面部８２ｂの上端部の前側面と、前側面部８３ｂの上端部の後側面に、断面略三角形の爪部を形成してある。そして、下側固定具３ｂの下側取付部３２ｂと突出片３３１ｂの間の隙間に、下側カバー８ｂの前側面部８３ｂを挿入してあって、突出片３３１ｂの爪部と前側面部８３ｂの爪部を係止させてある。また、下側固定具３ｂの垂下片３４ｂと突出片３３２ｂの間の隙間に、下側カバー８ｂの後側面部８２ｂを挿入してあって、突出片３３２ｂの爪部と後側面部８２ｂの爪部を係止させてある。なお、下側カバー８ｂは、手すりの左右全長にわたって延びるものであってもよいし、支柱１に対応する部位のみに設けるものであってもよい。
【００５８】
このように構成した手すりの第四実施形態は、上側固定具３ａの躯体側部材３８の躯体側当接面４１の水平面に対する角度が可変であるから、躯体１００の上面が傾斜している場合であっても、躯体側当接面４１の角度を傾斜に一致させることで、躯体側当接面４１と躯体１００の隙間を無くすことができるので、躯体１００と上側固定具３ａを確実に固定することができる。そして、支柱側部材３７に対する躯体側部材３８の角度を変えるだけで、容易に躯体側当接面４１の角度を調整できる。
【００５９】
なお、第四実施形態において、下側固定具が、支柱側部材と躯体側部材からなるものであってもよい。また、支柱側部材が、支柱と一体に形成されたものであってもよい。さらに、躯体側部材が、支柱側部材に対して、段階的に角度調整可能なものであってもよい。たとえば、支柱側部材の軸部が、中心軸が左右方向に平行な正角柱の複数の側面からなる形状のものである。この際、躯体側部材の軸受部も、同じ正角柱の複数の側面からなり、支柱側部材の軸部の複数の面が隙間なく当接するものとなる。この場合でも、躯体側部材の躯体側当接面の水平面に対する角度が可変であるから、躯体の上面及び／又は下面が傾斜している場合であっても、躯体側当接面の角度を傾斜に一致させるか、それができなければ近い角度に合わせることで、躯体側部材と躯体の隙間を無くすか小さくできるので、躯体と上側固定具及び／又は下側固定具を確実に固定することができる。また、支柱側部材に対する躯体側部材の角度決めが容易であって、一度設定した角度からずれることがなく、躯体と上側固定具及び／又は下側固定具をより確実に固定することができる。
【００６０】
本発明は、前記の実施形態に限定されない。たとえば、上側固定具と下側固定具の形状は、上記の要件を満たすものであれば、どのようなものであってもよい。また、上桟と下桟の間部分の構成は、前記の縦格子やガラスパネルを設けた構成のほか、横格子やルーバー格子を設けてもよく、意匠性などを考慮して自在に設定できる。
【符号の説明】
【００６１】
１  支柱
２ａ  上側アンカー
２ｂ  下側アンカー
３ａ  上側固定具
３ｂ  下側固定具
４  角度調整具
３１ａ  上側挟持部（挟持部）
３６ａ  被当接面
３７  支柱側部材
３８  躯体側部材
４１  躯体側当接面
４２  固定具側当接面
１００  躯体
【図１】
2020012264.tif 000003
【図２】
2020012264.tif 000004
【図３】
2020012264.tif 000005
【図４】
2020012264.tif 000006
【図５】
2020012264.tif 000007
【図６】
2020012264.tif 000008
【図７】
2020012264.tif 000009
【図８】
2020012264.tif 000010
【図９】
2020012264.tif 000011
【図１０】
2020012264.tif 000012
【図１１】
2020012264.tif 000013
【図１２】
2020012264.tif 000014
【図１３】
2020012264.tif 000015
【図１４】
2020012264.tif 000016